(57)【要約】      （修正有）【課題】テニスコートネットのセンター部のコート地面からの規定の高さを保持するにあたって、規定の高さにすぐすることができ、また着脱が簡単なセンターベルトを提供する。【解決手段】センターベルト１の両端部に差し込み式バックル雄部２と雌部３が取り付けられていることにより、差し込むだけで決まった長さになり、求められる規定の高さにすぐなることが出来る。また微調整をするためにボルト部５とボルト受け部４とボルトを回すためのダイヤル部６を設け、ダイヤル部６を回すことでボルトが回りベルト全体の高さを調節することができる。【選択図】図２
0003202383.tif 000002
【実用新案登録請求の範囲】
【請求項１】
従来のセンターベルトのように締め金具を用いて、長さを調節するのではなく、テニスコートネットのセンター部の高さが規定の高さになるよう予め長さを設定されたことを特徴とするセンターベルト。
【請求項２】
差し込み式バックルが取り付けられており、差し込むことにより一定の長さの輪状になりテニスコートネットのセンター部の高さが規定の高さになるよう設定されたことを特徴とするセンターベルト。
【請求項３】
ネットの高さの微調整が出来る様、回転式のボルトとそれを受けるネジ切りした受け部及びボルトを回すためのダイヤル部をセンターベルトに設け、ダイヤルを回し、それによりボルトが回ることで、その上下によりネットの高さが調節できることを特徴とするセンターベルト。
【考案の詳細な説明】
【技術分野】
【００１】  本考案はテニスコートネットの高さをセンター部で規定の高さに保持するためのセンターベルトの構造に係る。
【背景技術】
【００２】  従来からテニスコートネットの中央をベルトと締め金具を用いて、コートネットをはさみ込むように輪状にし、コート地面に設置されたフックに引っ掛けたうえでネットが規定の高さになる様、ベルトの長さを締め金具で調節していた。
【考案の概要】
【考案が解決しようとする課題】
【００３】  従来テニスコートにネットを設置するにあたり、コートの両脇にある支柱によりネットを保持し、ハンドル操作により巻き取ることによってネットに十分な張力を持たせている。その際、コート中央の部分では地面から９１．４ｃｍの高さが求められており、そのためセンターベルトと呼ばれるベルト状のものを使い地面に設置されたフックに引っ掛けた後、締め金具を調節しているのであるが、十分にネットが張った状態での高さが求められるので、まずネットの張力を高めておき規定の高さより低かった場合、少し締め金具をずらして高さを見て調節をすることを何度か繰り返すという方法であり、不便なものであった。【００４】  また規定の高さより高かった場合には、締め金具によりベルトの長さを短くするには他人の手を借りるなどしてネット自体を下方へ押し下げている状態でベルト長さを調節する必要がある。【００５】  また特に競技大会のような場合には正確な高さが求められるので、高さの微調整が求められ、非常に煩わしく面倒な作業となっている。【００６】  また従来のセンターベルトの締め金具は調節能力に問題があり緩んでくる場合や、保持していく能力に難があった。【００７】また通常、使用後は張力を緩めておいて器具の管理をしているものなので、その後の使用時にはまたセンターベルトの高さ調節をすることが必要であった。
【課題を解決するための手段】
【００８】従来のセンターベルトを締め金具で長さを調節していく形から、予めネットの高さが規定の高さになるよう長さを設定されたセンターベルトに差し込み式バックルが取り付けられており、ベルト両端の差し込み式バックル雄部を雌部に差し込めば定められた長さになり、センターベルトが決まった高さになりうる。【００９】微調整を可能とするため、センターベルトに回転式のボルトとそれを受けるネジ切りした受け部を設け、さらにボルトを回すダイヤル部を設け、ダイヤル部を回転させることでボルトが回り、上下し、センターベルト全体が上下し、切れ目のない高さの微調整が可能である。
【考案の効果】
【０１０】差し込み式バックルを差し込むことだけで、センターベルトのセッティングが、すぐできる。【０１１】地面からのネットの規定の高さに予め合わせたベルトの長さを設定することにより、差し込み式バックルを差し込むことにより、規定の高さをすぐ得られる。【０１２】また差し込み式バックルをはずせば、すぐネットからセンターベルトをはずすことができる。【０１３】また、微調整したいときには、ネットを張った状態そのままで、他の人の手を借りずとも、ボルトにつながるダイヤル部を廻せばボルトが上下し、センターベルトの全体高さを調節できる。【０１４】以下にその手順を説明するが、本考案を実施するにあたり、この説明及び手順に限られるものではない。【０１５】センターベルト下方のフック７をテニスコートに設置されている固定フック８に引っ掛け、センターベルトの差し込み式バックルの雄部２のある長い側をテニスコートネット９下側からネット向こう側へ通させ、センターベルトを上方へ持っていき、ネット最上部で下方へ反転させ、こちら側へ下げてきてこちら側下方にある差し込み式バックル雌部３にバックルの雄部２を差し込むことにより、テニスコートネットを挟んだ状態でセンターベルトが輪状になりえる。その後テニスコートに設置されたネット張りの支柱のハンドルを回すことで、ネットに張力を与えるとテニスコートネットがコート地面からの高さが規定の高さとなりうる。【０１６】またコートの高さの微調整のため、センターベルトの差し込み式バックル雌部３の下方にコートの地面に設置されたフック８に引っ掛けたフック７と連結したボルト５及びそのネジ切りしたボルト受け部４があり、ボルトのダイヤル部６を回して上下させることで輪状になったセンターベルト全体の高さを変えることができる。
【図面の簡単な説明】
【０１７】
【図１】本考案のセンターベルトの差し込み式バックルを差し込んでいない状態の説明図である。
【図２】本考案のセンターベルトの差し込み式バックルを差し込んでいる状態の正面図である。
【図３】本考案のセンターベルトの差し込み式バックルを差し込んでいる状態の側面図である。
【符号の説明】
【０１８】１・・・・・・・センターベルト
２・・・・・・・差し込み式バックル雄部
３・・・・・・・差し込み式バックル雌部
４・・・・・・・ボルト受け部
５・・・・・・・ボルト
６・・・・・・・ボルトのダイヤル部
７・・・・・・・フック
８・・・・・・・コート地面に設置されたフック
９・・・・・・・コートネット
１０・・・・・・コートネット上方バンド
１１・・・・・・コートネット下方バンド
【図１】
0003202383.tif 000003
【図２】
0003202383.tif 000004
【図３】
0003202383.tif 000005
【手続補正書】
【提出日】平成27年11月7日(2015.11.7)
【手続補正１】
【補正対象書類名】実用新案登録請求の範囲
【補正対象項目名】請求項３
【補正方法】変更
【補正の内容】
【請求項３】
テニスネットのセンター部の規定の高さを求められるうえに、各テニスコートのコート状態の違いやテニスネットの張り具合等で少し高さの調整が必要になった際、それを簡単に調整できうるよう回転式のボルトとそれを受けるネジ切りした受け部及びボルトを回すためのダイヤル部をセンターベルトに設け、ダイヤルを回し、それによりボルトが回ることでその上下によりネットの高さを微調整できることを特徴とする請求項１又は請求項２に記載されたセンターベルト。